【手続補正書】
【提出日】平成28年10月21日(2016.10.21)
【手続補正１】
【補正対象書類名】特許請求の範囲
【補正対象項目名】全文
【補正方法】変更
【補正の内容】
【特許請求の範囲】
【請求項１】
搬送路に沿って配置された複数の収納台及び複数の給送部を備える給送装置であって、
前記複数の給送部は、
前記複数の収納台上に積載されたシートをそれぞれピックアップする複数のピックアップローラと、
前記複数のピックアップローラでピックアップされた前記シートをそれぞれ前記搬送路に供給する複数の給送ローラと、
前記複数の給送ローラの各外周面にそれぞれ圧接された複数の分離部材と、
前記複数の給送ローラの各外周面にそれぞれ圧接された複数の従動ローラと、をそれぞれ有し、
前記複数の収納台のうち、前記搬送路の上流側に配置された収納台からシートの給送を行う際に、前記搬送路の下流側に配置された収納台または該収納台に対応する給送部の給送状態を解除する解除手段を設けたことを特徴とする給送装置。
【請求項２】
前記解除手段は、前記複数の収納台の位置をそれぞれ可変するアクチュエータを制御するものであって、
前記搬送路に沿って配置された３段目の収納台からシートの給送を行う際に、前記アクチュエータによって、少なくとも前記搬送路に沿って配置された１段目及び２段目の収納台の位置を、積載するシートをピックアップローラに圧接させる圧接位置から、その圧接が解除される圧接解除位置へと移動させることを特徴とする請求項１に記載の給送装置。
【請求項３】
前記解除手段は、前記複数の分離部材の位置をそれぞれ可変するアクチュエータを制御するものであって、
前記搬送路に沿って配置された３段目の収納台からシートの給送を行う際に、前記アクチュエータによって、少なくとも前記搬送路に沿って配置された１段目及び２段目の収納台に対応する給送部の分離部材を、給送ローラに対して圧接する圧接位置から、その圧接が解除される圧接解除位置へと移動させることを特徴とする請求項１または２に記載の給送装置。
【請求項４】
前記解除手段は、前記複数の従動ローラの位置をそれぞれ可変するアクチュエータを制御するものであって、
前記搬送路に沿って配置された３段目の収納台からシートの給送を行う際に、前記アクチュエータによって、少なくとも前記搬送路に沿って配置された２段目の収納台に対応する給送部の従動ローラを、給送ローラに対して圧接する圧接位置から、その圧接が解除される圧接解除位置へと移動させることを特徴とする請求項１に記載の給送装置。
【請求項５】
前記解除手段は、前記複数の給送ローラにそれぞれ伝達される駆動力を制御するものであって、
前記搬送路に沿って配置された３段目の収納台からシートの給送を行う際に、少なくとも前記搬送路に沿って配置された２段目の収納台に対応する給送部の給送ローラへの駆動力の伝達を停止させることを特徴とする請求項４に記載の給送装置。
【請求項６】
搬送路に沿って配置された複数の収納台及び複数の給送部を備える給送装置であって、
前記複数の給送部は、
前記複数の収納台上に積載されたシートをそれぞれピックアップし、前記搬送路に供給する複数の給送ローラと、
前記複数の給送ローラの各外周面にそれぞれ圧接された複数の分離部材と、
前記複数の給送ローラの各外周面にそれぞれ圧接された複数の従動ローラと、をそれぞれ有し、
前記複数の収納台のうち、前記搬送路の上流側に配置された収納台からシートの給送を行う際に、前記搬送路の下流側に配置された収納台または該収納台に対応する給送部の給送状態を解除する解除手段を設けたことを特徴とする給送装置。
【請求項７】
前記解除手段は、前記複数の収納台の位置をそれぞれ可変するアクチュエータを制御するものであって、
前記搬送路に沿って配置された３段目の収納台からシートの給送を行う際に、前記アクチュエータによって、少なくとも前記搬送路に沿って配置された１段目及び２段目の収納台の位置を、積載するシートを給送ローラに圧接させる圧接位置から、その圧接が解除される圧接解除位置へと移動させることを特徴とする請求項６に記載の給送装置。
【請求項８】
前記解除手段は、前記複数の分離部材の位置をそれぞれ可変するアクチュエータを制御するものであって、
前記搬送路に沿って配置された３段目の収納台からシートの給送を行う際に、前記アクチュエータによって、少なくとも前記搬送路に沿って配置された１段目及び２段目の収納台に対応する給送部の分離部材を、給送ローラに対して圧接する圧接位置から、その圧接が解除される圧接解除位置へと移動させることを特徴とする請求項７に記載の給送装置。
【請求項９】
前記解除手段は、前記複数の従動ローラの位置をそれぞれ可変するアクチュエータを制御するとともに、前記複数の給送ローラにそれぞれ伝達される駆動力を制御するものであって、
前記搬送路に沿って配置された２段目の収納台からシートの給送を行う際に、前記アクチュエータによって、少なくとも前記搬送路に沿って配置された１段目の収納台に対応する給送部の従動ローラを、給送ローラに対して圧接する圧接位置から、その圧接が解除される圧接解除位置へと移動させるとともに、
少なくとも前記搬送路に沿って配置された１段目の収納台に対応する給送部の給送ローラへの駆動力の伝達を停止させることを特徴とする請求項６に記載の給送装置。
【請求項１０】
前記解除手段は、前記複数の給送ローラ及び前記複数の従動ローラにそれぞれ伝達される駆動力を制御するものであって、
前記搬送路に沿って配置された３段目の収納台からシートの給送を行う際に、少なくとも前記搬送路に沿って配置された１段目及び２段目の収納台に対応する給送部の給送ローラに逆方向の駆動力を伝達させることを特徴とする請求項７に記載の給送装置。
【請求項１１】
請求項１〜１０のいずれか一項に記載の給送装置と、
前記給送装置より給送されるシートに対して画像を形成する画像形成手段と、を備えたことを特徴とする画像形成装置。
【手続補正２】
【補正対象書類名】明細書
【補正対象項目名】発明の名称
【補正方法】変更
【補正の内容】
【発明の名称】給送装置及び画像形成装置
【手続補正３】
【補正対象書類名】明細書
【補正対象項目名】０００１
【補正方法】変更
【補正の内容】
【０００１】
本発明は、給送装置及び画像形成装置に関する。
【手続補正４】
【補正対象書類名】明細書
【補正対象項目名】０００８
【補正方法】変更
【補正の内容】
【０００８】
本発明は、上述のような事情に鑑みてなされたもので、収納台ごとに、収納台または給送部の圧接及び圧接解除のタイミングを容易に制御することができ、誤給送を抑制できるとともに、複数の給送部を備える場合に用いて好適な給送装置及び画像形成装置を提供することを目的とする。
【手続補正５】
【補正対象書類名】明細書
【補正対象項目名】０００９
【補正方法】変更
【補正の内容】
【０００９】
本発明に係る給送装置は、上記目的を達成するため、搬送路に沿って配置された複数の収納台及び複数の給送部を備える給送装置であって、前記複数の給送部は、前記複数の収納台上に積載されたシートをそれぞれピックアップする複数のピックアップローラと、前記複数のピックアップローラでピックアップされた前記シートをそれぞれ前記搬送路に供給する複数の給送ローラと、前記複数の給送ローラの各外周面にそれぞれ圧接された複数の分離部材と、前記複数の給送ローラの各外周面にそれぞれ圧接された複数の従動ローラと、をそれぞれ有し、前記複数の収納台のうち、前記搬送路の上流側に配置された収納台からシートの給送を行う際に、前記搬送路の下流側に配置された収納台または該収納台に対応する給送部の給送状態を解除する解除手段を設けた構成を有する。
【手続補正６】
【補正対象書類名】明細書
【補正対象項目名】００１０
【補正方法】変更
【補正の内容】
【００１０】
本発明は、収納台ごとに、収納台または給送部の圧接及び圧接解除の切り換えを容易に制御することができ、誤給送を抑制できるとともに、複数の給送部を備える場合に用いて好適な給送装置及び画像形成装置を提供することができる。
【手続補正７】
【補正対象書類名】明細書
【補正対象項目名】０１２０
【補正方法】変更
【補正の内容】
【０１２０】
以上説明したように、本発明は、収納台ごとに、収納台または給送部の圧接及び圧接解除の切り換えを容易に制御することができ、誤給送を抑制できる。特に、複数の給送部を備える場合に好適であるという効果を有し、給送装置及びそれを備える画像形成装置の全般に有用である。
【手続補正８】
【補正対象書類名】明細書
【補正対象項目名】０１２１
【補正方法】変更
【補正の内容】
【０１２１】
１  複写機（画像形成装置）
２，１２，１２Ａ，１２Ｂ  給紙装置（給送装置）
３  画像形成部（画像形成手段）
４  画像読取部
５  ＡＤＦ
６  操作表示部
１０  本体制御部
２０  縦搬送路
２０Ａ  斜め搬送路
２１Ａ，２１Ｂ，２１Ｃ  給紙カセット
２１Ａ−１，２１Ｂ−１，２１Ｃ−１  収納台
２２Ａ，２２Ｂ，２２Ｃ，１２２Ａ，１２２Ｂ，１２２Ｃ  給紙部（給送部）
２２Ａ−１，２２Ｂ−１，２２Ｃ−１  ピックアップローラ
２２Ａ−２，２２Ｂ−２，２２Ｃ−２，１２２Ａ−２，１２２Ｂ−２，１２２Ｃ−２  給紙ローラ（給送ローラ）
２２Ａ−３，２２Ｂ−３，２２Ｃ−３，１２２Ａ−３，１２２Ｂ−３，１２２Ｃ−３  従動ローラ
２２Ａ−４，２２Ｂ−４，２２Ｃ−４，１２２Ａ−４，１２２Ｂ−４，１２２Ｃ−４  フリクションパッド（分離部材）
２４  給紙制御部（解除手段）
２５，２８，２９  アクチュエータ
２６  駆動モータ
２７ａ，２７ｂ  駆動力伝達機構
Ｐ  記録紙（用紙、シート）